【事件の表示】
　特願２００４−５５０７４９「堆積させる滴数の最適化を伴うカラー・インクジェット・プリント方法および対応するプリンタ」拒絶査定不服審判事件〔平成１６年　５月２７日国際公開、ＷＯ２００４／０４３７００、平成１８年　２月１６日国内公表、特表２００６−５０５４３１〕について、次のとおり審決する。
【結　論】
　本件審判の請求は、成り立たない。
【理　由】
第１　手続の経緯  
　本願は、２００３年１１月６日（パリ条約による優先権主張２００２年１１月８日、仏国）を国際出願日とする出願であって、原審において、平成２０年５月２０日付けで拒絶の理由が通知され、同年７月２９日付けで意見書が提出され、同年８月２９日付けで拒絶査定がなされ、同年１２月８日に拒絶査定不服審判の請求がなされ、当審において、平成２２年５月３１日付けで拒絶の理由が通知され、同年１２月８日付けで手続補正がなされたものである。 
 　 
第２．本願発明
　本願の請求項１に係る発明（以下「本願発明１」という。）は、平成２２年１２月８日付け手続補正によって補正された特許請求の範囲の請求項１に記載された事項によって特定されるとおりの次のものであると認める。 
「カラー・インクジェット・プリンタ（１）のプリント方法であり、該プリンタは、それぞれがイエロー（Ｊ）、マゼンタ（Ｍ）、シアン（Ｃ）およびブラック（Ｋ）から選ばれる基本色を含む少なくとも四つのインクカートリッジ（２）と、明色とよばれる基本色のインクを含む少なくとも一つの補助カートリッジとを含むタイプのものであり、これにおいて、要求される色（ＣＤ）、および／または、選択された被印刷体（５）のピクセル（Ｐｉ）と呼ばれる所定の位置に互いに重ねるインク滴の数と色（ＥＤ）に関する情報を含むプリント命令（４）が受信されるものであって、該プリンタは、最適化モードを有しており、事前に確立された対応にしたがって、要求される色（ＣＤ）、および／または、対象となるピクセル（Ｐｉ）で選択された色を得るために必要とされる、重ねる滴の数と色（ＥＤ）は、相当する色（ＣＥ）、および／または、肉眼の認識にしたがい、満足できる色の表現色を得ることを可能にする、重ねる滴の数と色（ＥＥ）に対応するものであり、そして、相当する色（ＣＥ）、および／または、受信されたそれぞれのプリント命令に対してこのように決定された、重ねる滴の数と色（ＥＥ）がプリンタ（１）に適用されることを特徴とするプリント方法。」
　また、本願の請求項５に係る発明（以下「本願発明５」という。）は、平成２２年１２月８日付け手続補正によって補正された特許請求の範囲の請求項５に記載された事項によって特定されるとおりの次のものであると認める。
「それぞれがイエロー（Ｊ）、マゼンタ（Ｍ）、シアン（Ｃ）およびブラック（Ｋ）から選ばれる基本色を含む少なくとも四つのインクカートリッジ（２）と、明色と呼ばれる基本色のインクを含む少なくとも一つの補助カートリッジと、処理手段（３、７）とを有するタイプのカラー・インクジェット・プリンタであり、該処理手段は、プリント命令（４）を受信することに適しており、該プリント命令は、要求される色（ＣＤ）、および／または、選択された被印刷体（５）のピクセル（Ｐｉ）と呼ばれる所定の位置に互いに重ねるインク滴の数と色（ＥＤ）に関する情報を含むものであり、処理手段（３、７）が最適化モードを有し、これにおいて該処理手段が、要求される色（ＣＤ）、および／または、対象となるピクセル（Ｐｉ）で選択された色を得るために必要とされる、重ねる滴の数と色（ＥＤ）を、相当する色（ＣＥ）、および／または、肉眼の認識にしたがい、満足できる色の表現色を得ることを可能にする、重ねる滴の数と色（ＥＥ）に対応させること、そして、相当する色（ＣＥ）、および／または、受信されたそれぞれのプリント命令に対してこうして決定された、重ねる滴の数と色（ＥＥ）をプリンタ（１）に適用することに適しており、
　対応が、事前に確立された対応原理または対応表（ＴＡＢ）にしたがって確立されることを特徴とする、プリンタ。」
　　
第３．引用刊行物
　本願の優先日前に頒布され、当審による拒絶の理由において引用された刊行物である、米国特許第６４３５６５７号明細書（以下、「引用例」という。）には、以下の記載がある。（下線は審決で付した。以下同じ。）
ア．「FIELD OF THE INVENTION 
　This invention pertains to the field of digital imaging, and more particularly to a colorant reduction method used in the process of printing a digital image.」（第１欄１２〜１５行）
（審決訳：発明の属する技術分野
　本発明は、デジタル画像処理の分野、特にデジタル画像を印刷する過程で使用される、顔料削減方式に関する。）
イ．「BACKGROUND OF THE INVENTION 
　In the field of digital printing, a digital printer receives digital data from a computer and places colorant on a receiver to reproduce the image. A digital printer may use a variety of different technologies to transfer colorant to the page. Some common types of digital printers include inkjet, thermal dye transfer, thermal wax, electrophotographic, and silver halide printers. 
　Often when printing digital images, undesirable image artifacts may result when an excessive amount of colorant is placed in a small area on the page. These image artifacts degrade the image quality, and can result in an unacceptable print. In the case of an inkjet printer, some examples of these image artifacts include bleeding, cockling, banding, and noise. Bleeding is characterized by an undesirable mixing of colorants along a boundary between printed areas of different colorants. The mixing of the colorants results in poor edge sharpness, which degrades the image quality. Cockling is characterized by a warping or deformation of the receiver that can occur when printing excessive amounts of colorant. In severe cases, the receiver may warp to such an extent as to interfere with the mechanical motions of the printer, potentially causing damage to the printer. Banding refers to unexpected dark or light lines or streaks that appear running across the print, generally oriented along one of the axes of motion of the printer. Noise refers to undesired density or tonal variations that can give the print a grainy appearance, thus degrading the image quality. Although these artifacts are presented in the context of an inkjet printer, it is known to those skilled in the art that similar artifacts commonly exist with the other above mentioned printing technologies also. 
　State of the art inkjet printers designed for printing digital images sometimes utilize additional light density colorants to provide for improved image quality in the highlight regions of the image. In highlight regions, individual dots are routinely encountered, and if printed with a high density ink, these dots can be visible and objectionable to the observer. Using a lighter density ink in these highlight regions reduces the visibility of the individual dots so that the observer can no longer perceive them as distinct dots, thereby improving the image quality. However, such printers still require a high density ink to achieve acceptable density in shadow regions of the image. Thus, a typical combination of inks used in a high quality inkjet printer is the traditional cyan, magenta, yellow, and black (CMYK) inks plus additional light cyan and light magenta inks, indicated by lowercase cm, (i.e., CMYKcm). In these printers, the above mentioned problems associated with using excess colorant become worse, as the total amount of ink used is typically greater than for a standard CMYK printer. 」（第１欄１６行〜第２欄４行）
（審決訳：従来の技術
　デジタル印刷の分野では、デジタル・プリンタは、画像を複製するためにコンピュータからデジタル・データを受け取り、顔料をレシーバー上に載せる。デジタル・プリンタは、
顔料をページへ転送する
デジタル・プリンタには、インクジェット式
プリンタなどがある
　デジタル画像を印刷する際にはしばしば、過度の量の顔料がページ上の狭い区域に載せられると、望ましくない画像人工物ができてしまうことがある。これらの画像人工物は、画像の品質を下げ、許容できないプリントをもたらす可能性がある。インクジェット式プリンタの場合、これらの画像人工物の若干の例には、滲み、荒れ、帯縞、ノイズなどがある。滲みは、異なる顔料のプリント領域間の境界に沿う、顔料同士の望ましくない混合として特徴づけられる。顔料の混合は、境界を不明瞭にし、画質を低下させる。荒れは、過剰な顔料で印刷する際に起こる、レシーバーの歪みや変形として特徴づけられる。ひどい場合には、レシーバーは、プリンタの機械的動作にも支障をきたす程度に歪み、プリンタにダメージを及ぼすおそれもある。帯縞は、プリント全体にわたって走る、予期しない暗色もしくは淡い線または縞のことで、その方向は、一般にプリンタの作動軸の内の１本に沿っている。ノイズは、プリントに粒状の外観を与える、好ましくない濃度またはトーンの変化のことで、したがって画質を低下させる。これらの人工物は、インクジェット式プリンタに関連して起こるが、類似の人工物が、上述した他の印刷技術にも共通して存在することは当業者に知られている。
　デジタル画像を印刷するために設計されたインクジェット式プリンタの最先端では、時折画像のハイライト領域で、画質を改善するために、追加的に淡色濃度の顔料が使用されることがある。ハイライト領域では、個々の点は慣例的に遭遇しており、高濃度インクで印刷すると、これらの点が判別可能となり、見た目に汚く映る。こうしたハイライト領域で、より淡い濃度のインクを用いることにより、個々の点の可視性を軽減し、明確な点として認識されないようにすることで、画質が改善される。しかしながら、そのようなプリンタでも、画像の影領域では、許容できる濃度を達成するために、やはり高濃度インクを必要とする。このように、
高品質インクジェット式プリンタにおいて使われるインクの典型的組合せは、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる
ウ．「Thus, there is a need for a colorant reduction algorithm which can be applied to a multicolorant printer utilizing both dark and light density colorants to provide for high quality images. 」（第３欄２８行〜３１行）
（審決訳：このように、高品質画像を提供するために、暗色および淡色の濃度顔料を用いるマルチ顔料プリンタに適用可能な、顔料削減アルゴリズムが求められている。）
エ．「It is an object of the present invention to provide a method for printing high quality digital images that are free of the above described artifacts associated with using excessive amounts of colorant. 
　It is a further object of the present invention to provide a method for reducing the amount of colorant used to print an image on a multicolorant printer in which dark and light density colorants are used. 
　Yet another object of the present invention is to provide a method for reducing the amount of colorant used to print an image on a multicolorant printer in which dark and light density colorants are used such that the perceived color is substantially unchanged. 」（第３欄３３行〜４５行）
（審決訳：本発明の目的は、顔料の過剰な使用に関連する、上述の人工物のない、高品質デジタル画像を印刷する方法を提供することである。
　本発明のさらなる目的は、
暗色および淡色の濃度顔料が使われるマルチ顔料プリンタで、画像印刷に用いる顔料量削減の方法
　本発明のさらに他の目的は、知覚色が実質的に変化しないようにするための暗色および淡色の濃度顔料が使われるマルチ顔料プリンタで、画像印刷に用いられる顔料量削減方法を提供することである。）
オ．「An input image is composed of a two dimensional (x,y) array of individual picture elements, or pixels, and can be represented as a function of two spatial coordinates, (x and y), and a color channel coordinate, c. Each unique combination of the spatial coordinates defines the location of a pixel within the image, and each pixel possesses a set of input code values representing input colorant amounts for a number of different inks indexed by the color channel coordinate, c. Each input code value representing the amount of ink in a color channel is generally represented by numbers on the range {0,255}. A typical set of inks for an inkjet printer consists of cyan (C), magenta (M), yellow (Y), black (K), light cyan (c), and light magenta (m) inks, hereinafter referred to as CMYKcm inks. While the cyan and magenta color channels are typically represented by a lower density colorant (light cyan or light magenta) and a higher density colorant (cyan or magenta) ink, the other inks may have lower and higher density versions present as well. One example of this is an inkjet printer that has several different density versions of a black colorant to use in reproducing high quality monochrome prints, such as are typically used in medical imaging. Although the present invention will be described in the context of an inkjet printer with CMYKcm inks, the invention can be applied to other printer technologies and colorants as well, provided those technologies use multiple (at least two) colorants which are similar, having substantially the same color but different densities, containing at least one lower density colorant and one higher density colorant. In the context of an inkjet printer, the colorant amounts will be described in terms of ink volume, but one skilled in the art will recognize that other metrics may be more convenient for computing the colorant amount for different printing technologies. One example of this may be describing the colorant amount in an electrophotographic printer as the mass of toner that is used.」（第４欄４８行〜第５欄２０行）
（審決訳：
入力画像は、個々の画素またはピクセルの２次元の（ｘ，ｙ）アレイから構成されており、２つの位置座標（ｘ並びにｙ）、および、１つの色チャンネル座標ｃの関数として表すことができる。位置座標の各々のユニークな組合せが、画像内のピクセル位置を決定し、各ピクセルは、色チャンネル座標ｃにより指定された、多くの異なるインクに対する入力顔料量を示す入力コード値を持つ。色チャンネルのインク量を示す各入力コード値は、一般に｛０，２５５｝の範囲内の数によって表される
インクジェット式プリンタに関しては、顔料量は、インク体積の見地で記載される
カ．「Referring to FIG. 1, a generic image processing algorithm chain is shown for an inkjet printer in which a raster image processor 10 receives digital image data in the form of an input image from a digital image data source 12 which may be a host computer, network, computer memory, or other digital image storage device. The raster image processor 10 applies imaging algorithms to produce a processed digital image signal having input code values i(x,y,c), where x,y are the spatial coordinates of the pixel location, and c is the color channel coordinate. In one embodiment of the present invention, c has values 0, 1, 2, 3, 4, or 5 corresponding to C, M, Y, K, c, or m color channels, respectively. The types of imaging algorithms applied in the raster image processor 10 typically include sharpening (sometimes called unsharp masking or edge enhancement), color conversion (converts from the source image color space, typically RGB, to the CMYKcm color space of the printer), resizing (or spatial interpolation), and others. The imaging algorithms that are applied in the raster image processor 10 can vary depending on the application, and are not fundamental to the present invention. In a preferred embodiment of the present invention, the color conversion step implemented in the raster image processor 10 includes a multidimensional color transform in the form of an ICC profile as defined by the International Color Consortium's File Format for Color Profiles, Specification ICC.1A:1999-04. The ICC profile specifies the conversion from the source image color space (typically RGB) to an intermediate CMYK color space. This conversion is then followed by a conversion from CMYK to CMYKcm preferably according to the method disclosed in commonly assigned U.S. patent application Ser. No. 09/455,981 filed Dec. 6, 1999 by Couwenhoven et al., the disclosure of which is herein incorporated by reference. 
　Following the raster image processor 10 of FIG.1 is an ink depletion processor 20, which receives the input code value i(x,y,c) and a total colorant amount limit, and produces a depleted image signal having output code values o(x,y,c) representing modified colorant amounts. The ink depletion processor 20 performs the function of reducing the total colorant amount (per pixel, or per unit area) below a total colorant amount limit V.sub.t to prevent image artifacts from occurring. The total colorant amount limit V.sub.t is produced by a total colorant amount limit adjuster 22. The total colorant amount limit V.sub.t is determined to ensure that high quality images are produced that are free from the artifacts discussed above. The process of determining an appropriate value for the total colorant amount limit V.sub.t is typically performed by printing a test image with color patches having different total colorant amounts, and then selecting the patch with the highest total colorant amount that is free from image artifacts. Factors such as the specific ink, media, and printer parameters will generally affect the value of V.sub.t, as will environmental conditions such as the temperature and relative humidity. The total colorant amount limit V.sub.t is typically the same for each pixel in the image. The implementation of the ink depletion processor 20 is the main subject of the present invention, and will be described hereinafter. 」（第５欄２１行〜第６欄１１行）
（審決訳：図ｌを参照して、
ラスター画像プロセッサ１０が、ホストコンピュータ、ネットワーク、コンピュータ・メモリまたは他のデジタル画像記憶装置などのデジタル画像データ源１２から入力画像の形でデジタル画像データを受ける、インクジェット式プリンタのための一般的な画像処理アルゴリズム・チェーンが示されている。ラスタ画像プロセッサ１０は、入力コード値ｉ（ｘ，ｙ，ｃ）を有する被処理デジタル画像信号を生成するために、画像化アルゴリズムを用いており、ここで、ｘ，ｙはピクセル位置の位置座標、そしてｃは色チャンネル座標を示している。本発明の１つの実施例では、ｃは、Ｃ、Ｍ、Ｙ、Ｋ、ｃまたはｍの色チャンネルとそれぞれ一致する、０、１、２、３、４または５の値を有している
　図１の
ラスタ画像プロセッサ１０に続くのは、入力コード値ｉ（ｘ，ｙ，ｃ）および顔料総量限界を受け取り、修正された顔料量を表わす出力コード値ｏ（ｘ，ｙ，ｃ）を持つ削減画像信号を生成するインク消耗プロセッサ２０である。インク消耗プロセッサ２０は、画像人工物の発生を防止するために、顔料量を（ピクセルごとに、もしくは単位面積ごとに）顔料総量限界Ｖｔの下に削減する機能を実行する。顔料総量限界Ｖｔは、顔料総量限界調整装置２２によって提供される
キ．「Still referring to FIG. 1, the ink depletion processor 20 is followed by a multitone processor 30 which receives the output code value o(x,y,c) and produces a multitoned image signal h(x,y,c). The multitone processor 30 performs the function of reducing the number of bits used to represent each image pixel to match the number of printing levels available in the printer. Typically, the output code value o(x,y,c) will have 8 bits per pixel (per color), and the multitone processor 30 generally reduces this to 1 to 3 bits per pixel (per color) depending on the number of available printing levels. The multitone processor 30 may use a variety of different methods known to those skilled in the art to perform the multitoning. Such methods typically include error diffusion, clustered-dot dithering, or stochastic (blue noise) dithering. The particular multitoning method used in the multitone processor 30 is not fundamental to the present invention, but it is required that the ink depletion processor 20 which includes the present invention is implemented prior to the multitone processor 30 in the imaging chain. Finally, an inkjet printer 36 receives the multitoned image signal h(x,y,c), and deposits ink on the page accordingly to produce the desired image. 
　Turning now to the three dimensional (3D) plot shown in FIG. 2, the optical density that is measured from an inkjet print of color patches having various combinations of light and dark cyan colorant is plotted as a 3D wireframe mesh 42. The light cyan colorant amount varies along one axis of the plot, and the dark cyan colorant amount varies along another. In this plot, the light and dark cyan colorant amounts are specified as digital code values on the range {0,255}. In addition to the 3D wireframe mesh 42 showing the density surface, a set of density contours 40 is also shown (vertically separated from the wireframe mesh for clarity) to provide a two dimensional (2D) representation of the slope of the density surface. Each line in the set of density contours 40 therefore represents a path of constant density on the density surface. 
　Referring now to FIG. 3, a similar 3D plot shows the ink volume that corresponds to various combinations of light and dark cyan colorant plotted as a 3D wireframe mesh 52. A set of ink volume contours 50 is shown (again, vertically separated from the wireframe mesh for clarity) to provide a 2D representation of the slope of the ink volume surface. Thus, each line in the set of ink volume contours 50 represents a path of constant ink volume on the ink volume surface. In a preferred embodiment of the present invention applied to a CMYKcm inkjet printer, similar data as shown in FIG. 2 and FIG. 3 would be collected for the light and dark magenta channels as well, and this information would be used in an identical fashion as the light and dark cyan channels. Thus, only the light and dark cyan inks will be used for illustration.」（第６欄１２行〜６３行）
（審決訳：さらに図１を参照して、
インク消耗プロセッサ２０の後に、出力コード値ｏ（ｘ，ｙ，ｃ）を受け取り、マルチトーン化された画像信号ｈ（ｘ，ｙ，ｃ）を生成するマルチトーン・プロセッサ３０が続く。マルチトーン・プロセッサ３０は、プリンタで利用可能なプリント・レベル数にマッチさせるために、各画像ピクセルを表すために用いられるビット数を減少させる機能を実行する
最後に、インクジェット式プリンタ３６は、マルチトーン化画像信号ｈ（ｘ，ｙ，ｃ）を受取り、所望の画像を作成するために、したがって、ページ上にインクを堆積させる
　ここで、図２に示される３次元（３Ｄ）プロットを参照して、淡色および暗色のシアン顔料の様々な組合せを持つカラー・パッチのインクジェット式のプリントから測定される光学濃度は、３Ｄワイヤーフレーム・メッシュ４２としてプロットされている。淡色シアン顔料量は、プロットの１本の軸に沿って変化し、暗色のシアン顔料量は他の軸に沿って変化する。このプロットでは、淡色および暗色のシアン顔料量は、範囲｛０，２５５｝のデジタル・コード値として明示される。濃度表面を示す３Ｄワイヤーフレーム・メッシュ４２に加え、一組の等濃度線４０は、また、濃度表面の傾斜の２次元（２Ｄ）表示を提供するために示される（明瞭さのために、ワイヤーフレーム・メッシュと垂直に分離した）。したがって、等濃度線４０の組内の各線は、濃度表面での一定濃度のパスである。
　ここで図３を参照して、類似した３Ｄプロットは、３Ｄワイヤーフレーム・メッシュ５２としてプロットされた淡色および暗色のシアン顔料の様々な組合せに対応するインク体積を示している。一組のインク等体積線５０は、インク体積表面の傾斜の２Ｄ表現を提供するために示される（再び明瞭さのために、ワイヤーフレーム・メッシュから垂直に分離した）。このように、インク等体積線５０の集合における各々の線は、インク体積表面における一定のインク体積のパスである。ＣＭＹＫｃｍインクジェット式プリンタに適用される本発明の好ましい実施例では、図２と図３に示すような類似データは、同様に淡色および暗色のマゼンタ・チャンネルのために収集され、この情報は、淡色および暗色のシアン・チャンネルと同一の方法で用いられる。そこで、図示のために、淡色および暗色のシアン・インクだけを用いる。）
ク．「Turning now to FIG. 4, an implementation of the ink depletion processor 20 of FIG. 1 according to a preferred embodiment of the present invention will be described. In this graph, the density contours 40 of FIG. 2 and the ink volume contours 50 of FIG. 3 are plotted on top of each other, along with a cyan tonescale path 60. Arrows labeled increasing volume and increasing density are shown to indicate which direction is uphill on the corresponding contours. 
　To understand the significance of the cyan tonescale path 60, consider a CMYKcm inkjet printer that is used to print a color gradation ramp where the color varies smoothly from white to a saturated, maximum density cyan color. Theoretically, this color gradation ramp would only contain light and dark cyan inks, and the other colorants would be absent. The amount of light and dark cyan ink that gets printed at each point along the color gradation ramp is controlled by the selection of the cyan tonescale path 60. Typically, the cyan tonescale path 60 is created such that light cyan ink is added in increasing amounts as the color progresses away from white, then the dark cyan ink is added to reproduce the darker cyan colors. The topic of optimal light and dark ink usage and the particular shape of the cyan tonescale path 60 is not fundamental to the present invention, and is beyond the scope of this document. The present invention can be equally applied to any particular cyan tonescale path 60 that is created. As mentioned above, in a preferred embodiment, the cyan tonescale path 60 is used in the raster image processor 10 of FIG. 1, to convert the image data to the CMYKcm color space of the printer, and is preferably created as described in commonly assigned U.S. patent application Ser. No. 09/455,981 filed Dec. 6, 1999 by Couwenhoven et al., the disclosure of which is herein incorporated by reference. Thus, the cyan tonescale path 60 of FIG. 4 describes the combinations of light and dark cyan ink that will exist in the input code values i(x,y,c) that are input to the ink depletion processor 20 of FIG. 1.
　Consider now that for a given pixel, a set of input code values i(x,y,c) is encountered that has 8 bit integer values of {102, 255, 215, 0, 140, 100} for C, M, Y, K, c, m, respectively. This set of input code values represents a color that has high amounts of magenta and yellow ink, medium amounts of cyan, light cyan, and light magenta ink, and no black ink. Without loss of generality, it will be assumed for illustration purposes that the volume of ink produced by the inkjet printer is linearly related to the input code value i(x,y,c). This condition is met, in fact, for any binary inkjet printer, and can be made to occur by employing a volumetric linearization technique such as is described in commonly assigned U.S. patent application Ser. No. 09/881,460 filed Jun. 14, 2001 by Couwenhoven et al., the disclosure of which is herein incorporated by reference. Under this condition, as understood by one skilled in the art, the total input colorant amount (which equates to the volume of ink placed on the page at this pixel) can be estimated by adding up the code values for each color channel. Thus, if a code value of 255 equates to a given volume of ink, say, 10 pl (where pl=picoliter, or 10.sup.-12 liter), then the given set of code values (which sums to 812) would produce approximately a total input colorant amount of 31.84 pl (=812/255*10 pl). Assume now that the total colorant amount limit for the given printer, ink set, and receiver media combination is 30 pl per pixel. Thus, 30 pl of ink per pixel can be placed on the page without experiencing image quality artifacts as previously described. The total colorant amount limit will be different for different inks, receiver media, and printer combinations. Typically, the total colorant amount limit is determined for a specific combination by printing a test image target containing solid patches having various amounts of ink, and noting which patches contain image artifacts. The total colorant amount limit is therefore set to the highest value that produces artifact free images. The ink volume corresponding to the current pixel of 31.84 pl exceeds the 30 pl per pixel limit, and therefore the code values for the current pixel need to be modified, or undesirable image artifacts may occur. 」（第６欄６４行〜第８欄５行）
（審決訳：ここで図４に代えて、本発明の好ましい実施例にしたがう、図１のインク消耗プロセッサ２０のインプリメンテーションが説明される。このグラフでは、シアン・トーンスケール・パス６０と一緒に、図２の等濃度線４０および図３のインク等体積線５０が、互いのトップにプロットされている。「体積増加」および「濃度増加」と記されている矢印は、対応する等高線の上での「上り坂」方向を示している。
　シアン・トーンスケール・パス６０の重要性を理解するために、白から飽和した最大濃度のシアン色に滑らかに変化するカラー・グラデーション・ランプをプリントするために使用されるＣＭＹＫｃｍインクジェット式プリンタの場合を考える。理論的には、このカラー・グラデーション・ランプには、淡色および暗色のシアン・インクのみが含まれ、他の顔料は用いられない。カラー・グラデーション・ランプに沿う各点でプリントされる淡色および暗色のシアン・インクの量は、シアン・トーンスケール・パス６０の選択によって制御される。一般的に、シアン・トーンスケール・パス６０は、色が白から離れるにつれて、淡色のシアン・インクが量を増やすように加えられ、その後、暗色のシアン・インクが、より暗色のシアン色を再現するために加えられるように作られる。最適の淡色および暗色のインクの使用、および、シアン・トーンスケール・パス６０の特定の形についてのトピックは、本発明に根本的なものではなく、この文書の範囲を越えている。本発明は、生成されるいかなる特定のシアン・トーンスケール・パス６０に対しても、等しく適用することができる。上述されたように、好ましい実施例では、シアン・トーンスケール・パス６０は、画像データをプリンタのＣＭＹＫｃｍ色空間に変換するために、図１のラスター画像プロセッサ１０において使われ、これは、Ｃｏｕｗｅｎｈｏｖｅｎ他によって１９９９年１２月６日に出願され、共通に譲渡された、米国特許出願第０９／４５５，９８１号で説明されたように作られることが好ましく、その開示は、参照によってここに組み込まれる。このように、図４の
シアン・トーンスケール・パス６０は、
インク消耗プロセッサ２０へ入力される入力コード値ｉ（ｘ，ｙ，ｃ）内に存在する、淡色および暗色のシアン・インクの組合せを説明する
　
今、与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があることを考える。入力コード値のこの組は、マゼンタと黄色のインク量が多く、シアン、淡色のシアン、淡色のマゼンタのインク量が中程度であり、そして、黒インクは存在しないことを示している。例示のために、インクジェット式プリンタにより生成されるインクの体積が、入力コード値ｉ（ｘ，ｙ，ｃ）に対して線形であると仮定しても、一般性は失われない
入力顔料総量（それは、このピクセル位置でページに置かれるインク体積に等しい）は、各色チャンネルのコード値を合計することにより推定可能となる
顔料総量限界は、人工物のない画像を生成する最も高い値にセットされる
ケ．「Returning to FIG. 4, the light cyan and dark cyan colorant amounts (code values {140, 102}, respectively) corresponding to the pixel under consideration define a point A, which lies along the cyan tonescale path 60. As defined by point A, the light and dark cyan amounts together account for 140+102=242 code values, or 9.49 pl of the total volume for the given pixel. However, by examining the density contours and ink volume contours of FIG. 4, it can be seen that any point on the same density contour as point A will result in the same density on the page (and therefore substantially the same perceived color by the human eye) as point A, but that many of these points (i.e., any point to the left of point A on the same density contour) accomplish this using less ink volume. For example, point B corresponds to light and dark cyan code values of roughly {70, 125}, respectively, resulting in the same density as point A, but only 70+125=195 total code values, or 195/255*10 pl=7.65 pl. Thus, by modifying the light cyan and dark cyan code values from the point A original values of {140, 102} to the point B modified code values of {70, 125}, a 1.84 pl reduction in total ink volume can be obtained while substantially preserving the original color of the pixel. This brings the total ink volume for the pixel from 31.84 pl down to the acceptable limit of 30 pl. Effectively, the present invention determines modified colorant amounts for the similar colorants responsive to the input colorant amounts, the total input colorant amount, and the total colorant amount limit such that a first colorant amount is removed from a lower density similar colorant and a second colorant amount less than the first colorant amount is added to a higher density similar colorant. So, some of the light cyan ink is removed and a smaller amount of dark cyan ink is added to preserve the color. Since the light cyan ink is lighter in density than the dark cyan ink, the amount of light cyan ink that is removed is greater than the amount of dark cyan ink that is added. This is why the total ink volume is reduced, and recognition of this point is fundamental to the understanding of the present invention. 
　Many different ways of modifying the light and dark cyan code values as described above inside the ink depletion processor 20 of FIG. 1 are possible within the scope of the present invention. One embodiment of the present invention includes storing the data for the density contours and ink volume contours in computer memory or a disk file accessible to the ink depletion processor 20, which then retrieves the contour information, and calculates the modified code values by computing the intersection point of the desired ink volume contour and the density contour containing the point defined by the input code values. While this method may be highly accurate, it may be slightly time consuming and overcomplicated for many applications. A preferred embodiment of the present invention would simply compute the average slope of the density contours in the vicinity of the cyan tonescale path 60, and use that average slope as an estimate of the ratio of the light cyan and dark cyan ink densities. This essentially estimates the density contours as a set of straight lines having the average slope. For example, if the average slope of the density contours in the vicinity of the cyan tonescale path 60 is computed as -1/4, then this means that 1 code value of dark cyan should be added for every 4 code values of light cyan that are removed. Thus, the modified code values are then computed by finding the intersection of the desired ink volume contour and a line with slope of -1/4 that intersects the point defined by the input code values. This is a much simpler and faster way to compute the modified code values. The penalty for this simpler computation is that the perceived color of the modified code values may have some small color error relative to the perceived color of the input code values, since the density contours in general are not perfectly straight lines, especially if large amounts of ink are moved from the light to the dark colorants. However, this color error is generally acceptable given the computational benefits. Additional computational benefit can be gained by only performing the processing described above when the sum of the code values for a given pixel exceeds the sum corresponding to the total colorant amount limit. If the sum of the code values for a given pixel is less than the sum corresponding to the total colorant amount limit, then the given pixel is unlikely to produce undesirable image artifacts, and the input code values are simply passed on to the multitone processor 30 of FIG. 1 unaltered, thus saving the computations described above. 
　Also worthy of notice in the above particular illustration is that the desired total ink volume was attainable by modifying only the light and dark cyan colorant amounts. However, in this case, the light and dark magenta colorant amounts could also have been modified in a similar manner to provide for some of the total ink volume reduction, and a preferred embodiment of the present invention would take advantage of this. Indeed, there are many input code value combinations where this will be required to achieve the desired total ink volume. Additionally, there are input code value combinations where removing all of the light cyan and light magenta ink and adding corresponding amounts of dark cyan and dark magenta ink will still be insufficient to reduce the total ink volume below the total colorant amount limit. This case will be discussed next. 」（第８欄６行〜第９欄３６行）
（審決訳：図４に戻って、
考慮中のピクセルに対応する淡色のシアンおよび暗色のシアンの顔料量（それぞれ、コード値｛１４０、１０２｝）は、シアン・トーンスケール・パス６０上に沿ってある点「Ａ」を定義する。点「Ａ」によって定義されるように、淡色および暗色のシアン量は、所与のピクセルのために、１４０＋１０２＝２４２コード値、すなわち９．４９ｐｌの総体積を占める。しかしながら、図４の等濃度線とインク等体積線を調べると、点「Ａ」と同じ等濃度線の上のどんな点でも、ページ上では、点「Ａ」と同じ濃度（つまり、人間の目には実質的に同じ色に見える）となり、しかし、これらの点の多くでは、（すなわち、同じ等濃度線の上の点「Ａ」の「左」のいかなる点でも）少ない体積のインクを使用することを達成されることが分かる。例えば、概算で、淡色および暗色のシアンのコード値がそれぞれ｛７０、１２５｝となる点「Ｂ」では、点「Ａ」と同じ濃度となるには、７０＋１２５＝１９５総コード値、すなわち、１９５／２５５＊１０ｐｌ＝７．６５ｐｌのみでよい。このように、淡色のシアンと暗色のシアンのコード値を、点「Ａ」の最初の値｛１４０、１０２｝から点「Ｂ」の修正コード値｛７０、１２５｝に修正することにより、実質的にピクセルの元の色を保ちながら、総インク体積で１．８４ｐｌの削減を達成することができる。これにより、ピクセルのための総インク体積を、３１．８４ｐｌから許容できる限界の３０ｐｌまで抑えることができる。事実上、本発明は、入力顔料量、入力顔料総量、および顔料総量限界に対応する類似した顔料のための、修正顔料量を決定し、それによって、第１顔料量だけ低濃度の類似した顔料から取り除き、第１顔料量より少量の第２顔料量だけ、高濃度の類似した顔料に加える。したがって、淡色のシアンのインクの若干を「取り除き」、さらに、色を保つために、それより少量の暗色のシアンのインクを「加える」。淡色のシアンのインクが濃度において暗色のシアンのインクより軽いため、取り除かれる淡色のシアンのインク量は、加えられる暗色のシアンのインク量より大きい
　先に述べたように、図１の
インク消耗プロセッサ２０内においては、
淡色および暗色のシアンのコード値を修正する多くの異なる方法が可能である
コンピュータ・メモリまたはインク消耗プロセッサ２０にアクセス可能なディスク・ファイルに、等濃度線およびインク等体積線のためのデータを格納することを含み、その後、等高線情報を検索し、入力コード値によって定義される点を含む、所望のインク等体積線と等濃度線の交差点を計算することにより、修正コード値を算出する
シアン・トーンスケール・パス６０の近傍の等濃度線の平均傾斜を単に計算し、淡色のシアンと暗色のシアンのインク濃度の比率の推定として、その平均傾斜を用いる。この方法は、本質的に等濃度線を、平均傾斜を持つ一組の直線として推定する
シアン・トーンスケール・パス６０の近傍の等濃度線の平均傾斜が−１／４と算出されたなら、これは、取り除かれる淡色のシアンの４コード値ごとに、暗色のシアンを１コード値だけ加えられなければならないことを意味する。このように、修正コード値は、その後、所望のインク等体積線と、入力コード値によって定義される点を横切る−１／４の傾斜の線との交点を見つけることによって計算される。これは、修正コード値を計算する、非常に単純で迅速な方法である
　所与のピクセルのコード値の合計が、顔料総量限界に対応する合計より少ない場合は、所与のピクセルは望ましくない画像人工物を生成しそうになく、入力コード値は、単純にそのまま図１のマルチトーン・プロセッサ３０に渡され、こうして、上述の計算は保存される。
　また、上記の特定の図示で注意すべきことは、所望のインク総体積が、淡色および暗色のシアンの顔料量を修正するだけで達成できるという点である。しかしながら、この場合、淡色および暗色のマゼンタの顔料量もまた、類似した方法で、インク総体積をいくらか削減するように修正可能であり、本発明の好ましい実施例ではこれを利用している。所望されるインク総体積を達成するためにこの方法を必要とする、実に多くの入力コード値の組合せが存在する。加えて、全ての淡色のシアンおよび淡色のマゼンタのインクを削除し、対応する量の暗色のシアンおよび暗色のマゼンタのインクを添加しても、インク総体積を、顔料総量限界を下回るように減らすにはまだ不十分である入力コード値の組合せも存在する。このケースは、次に議論される。）
コ．「Referring now to FIG. 5, consider a point F which lies along the cyan tonescale path 60 and corresponds to light cyan and dark cyan code values of roughly {70, 155}, respectively. Also assume that the set of input code values i(x,y,c) is {155, 255, 255, 223, 72, 0} for C, M, Y, K, c, m respectively. The code values for this pixel sum to 960, and will therefore produce 960/255*10 pl=37.65 pl of ink (assuming that the printer produces 10 pl of ink for a code value of 255, as before). This exceeds the 30 pl per pixel total colorant amount limit used in this example, and therefore the input code values for this pixel need to be modified. If the intersection of the desired density contour and the desired volume contour is computed, the resulting code values are {220, 255, 255, 223, -188, 0} for C, M, Y, K, c, m respectively, corresponding to point G of FIG. 5. (Note that point G lies outside the boundaries of the graph, and is therefore not drawn to scale, as a light cyan code value of -188 would place it farther to the left.) The sum of these code values is 765, which equates to 30 pl per pixel, and therefore satisfies the total colorant amount limit. However, these code values are invalid, because negative amounts of colorant are not able to be printed, and are therefore undefined. Also, in this case, no light magenta colorant can be removed and added to the dark magenta channel, because the light magenta code value is zero already. Thus, an additional step is required to satisfy the total colorant amount limit using valid code values on the range {0,255} for all channels. To handle this case, a two step process is used. First, as much light cyan ink as possible is removed as possible, which reduces the light cyan code value from 72 to 0. To preserve the color, 72/4=18 code values of dark cyan are added, increasing the dark cyan code value from 155 to 173. This process results in a pixel corresponding to point H of FIG. 5, whose code values sum to 906, which equates to 35.53 pl of ink. This results in valid code values for all color channels, but still exceeds the total colorant amount limit of 30 pl per pixel. Thus, a second step is used in which all color channels are multiplied by a constant .alpha. (a multiplicative factor), which is computed as the ratio of the desired volume (or sum) to the current volume (or sum). Thus, in this case, .alpha.=(765/906)=0.844, and multiplying the code values corresponding to point H, which are {173, 255, 255, 223, 0, 0} by .alpha. produces code values {146, 215, 215, 189, 0, 0}. Plotting the light cyan and dark cyan code values of this set is indicated as point I of FIG. 5. Thus, the sum of the modified code values after this step is 765 (equating to 30 pl), which satisfies the total colorant amount limit, and all of the code values are valid on the range {0, 255}. 」（第９欄３７行〜第１０欄１８行）
（審決訳：ここで図５を参照して、シアン・トーンスケール・パス６０に沿い、淡色のシアンおよび暗色のシアンのコード値が、それぞれおよそ｛７０、１５５｝である点「Ｆ」を考慮する。また、Ｃ、Ｍ、Ｙ、Ｋ、ｃ、ｍの入力コード値ｉ（ｘ，ｙ，ｃ）の組が、それぞれ｛１５５、２５５、２５５、２２３、７２、０｝であると仮定する。このピクセルのためのコード値は、合計が９６０となり、したがって、９６０／２５５＊１０ｐｌ＝３７．６５ｐｌのインクを生じさせる（前の通り、プリンタがコード値２５５のために１０ｐｌのインクを生じさせると仮定する）。これは、この例で用いられるピクセル顔料総量限界につき３０ｐｌを上回っており、したがってこのピクセルの入力コード値は修正される必要がある。所望の等濃度線と所望の等体積線の交点を計算すると、結果として生じるコード値は、Ｃ、Ｍ、Ｙ、Ｋ、ｃ、ｍそれぞれに対して｛２２０、２５５、２５５、２２３、−１８８、０｝となり、図５の点「Ｇ」に一致する。（淡色のシアンのコード値−１８８が点をずっと左に置くので、点「Ｇ」は、グラフの境界外にあり、したがって目盛りが打たれていないことに注意。）これらのコード値の合計はピクセルにつき３０ｐｌに等しい７６５であり、したがって、顔料総量限界を満足する。しかしながら、マイナスの顔料量をプリントすることはできないため、これらのコード値は無効であり、したがって、未定義である。また、この場合、淡色のマゼンタのコード値はすでにゼロであるため、淡色のマゼンタの顔料はもう削除不能であり、暗色のマゼンタ・チャンネルは加えられない。このように、全てのチャンネルのために、範囲｛０，２５５｝での有効なコード値を用いる顔料総量限界を満足する付加的なステップが必要となる。このケースを取り扱うために、２つのステップのプロセスが用いられる。最初に、できるだけ多くの淡色のシアンのインクが削除され、淡色のシアンのコード値を７２から０まで減少させる。色を保つために、暗色のシアンの７２／４＝１８のコード値が加えられ、暗色のシアンのコード値を１５５から１７３まで増加させる。このプロセスにより、コード値の合計が３５．５３ｐｌのインクに相当する９０６である図５の点「Ｈ」と一致することになる。この結果、全ての色チャンネルが有効なコード値となるが、依然としてピクセルにつき３０ｐｌの顔料総量限界を上回っている。こうして、現在の体積（すなわち合計）に対する所望の体積（すなわち合計）の比として計算される定数α（積因数）を全てのカラー・チャンネルに乗算する第２のステップが用いられる。したがって、この場合、α＝（７６５／９０６）＝０．８４４であり、点「Ｈ」を示すコード値｛１７３、２５５、２５５、２２３、０、０｝にαを乗算して、コード値｛１４６、２１５、２１５、１８９、０、０｝を生成する。この組の淡色のシアンと暗色のシアンのコード値をプロットすると、図５の点「Ｉ」となる。このように、このステップの後の修正コード値の合計は、７６５（３０ｐｌに相当）となり、総顔料量制限を満足し、全コード値が範囲｛０、２５５｝で有効である。）
　　
　上記記載事項ア．〜コ．及び図面の記載からみて、引用例には、以下の発明が記載されているものと認められる。 
「顔料をページへ転送する、インクジェット式のデジタル・プリンタである、高品質インクジェット式プリンタにおいて、使われるインクの典型的組合せが、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる高品質インクジェット式プリンタにおける、暗色および淡色の濃度顔料が使われるマルチ顔料プリンタで、画像印刷に用いる顔料量削減の方法であって、
入力画像は、個々の画素またはピクセルの２次元の（ｘ，ｙ）アレイから構成されており、２つの位置座標（ｘ並びにｙ）、および、１つの色チャンネル座標ｃの関数として表すことができ、位置座標の各々のユニークな組合せが、画像内のピクセル位置を決定し、各ピクセルは、色チャンネル座標ｃにより指定された、多くの異なるインクに対する入力顔料量を示す入力コード値を持ち、色チャンネルのインク量を示す各入力コード値は、一般に｛０，２５５｝の範囲内の数によって表されるものであり、
顔料量は、インク体積の見地で記載されるものにおいて、
その一般的な画像処理アルゴリズム・チェーンは、
インクジェット式プリンタのラスター画像プロセッサ１０が、ホストコンピュータ、ネットワーク、コンピュータ・メモリまたは他のデジタル画像記憶装置などのデジタル画像データ源１２から入力画像の形でデジタル画像データを受け、ラスタ画像プロセッサ１０は、入力コード値ｉ（ｘ，ｙ，ｃ）を有する被処理デジタル画像信号を生成するために、画像化アルゴリズムを用いており、ここで、ｘ，ｙはピクセル位置の位置座標、そしてｃは色チャンネル座標を示していて、ｃは、Ｃ、Ｍ、Ｙ、Ｋ、ｃまたはｍの色チャンネルとそれぞれ一致する、０、１、２、３、４または５の値を有しており、
ラスタ画像プロセッサ１０に続くのは、入力コード値ｉ（ｘ，ｙ，ｃ）および顔料総量限界を受け取り、修正された顔料量を表わす出力コード値ｏ（ｘ，ｙ，ｃ）を持つ削減画像信号を生成するインク消耗プロセッサ２０であって、インク消耗プロセッサ２０は、画像人工物の発生を防止するために、顔料量をピクセルごとに、もしくは単位面積ごとに顔料総量限界調整装置２２によって提供される顔料総量限界Ｖｔの下に削減する機能を実行し、
インク消耗プロセッサ２０の後に、出力コード値ｏ（ｘ，ｙ，ｃ）を受け取り、マルチトーン化された画像信号ｈ（ｘ，ｙ，ｃ）を生成するマルチトーン・プロセッサ３０が続き、マルチトーン・プロセッサ３０は、プリンタで利用可能なプリント・レベル数にマッチさせるために、各画像ピクセルを表すために用いられるビット数を減少させる機能を実行し、
最後に、インクジェット式プリンタ３６は、マルチトーン化画像信号ｈ（ｘ，ｙ，ｃ）を受取り、所望の画像を作成するために、すなわち、ページ上にインクを堆積させるものであって、
シアン・トーンスケール・パス６０は、インク消耗プロセッサ２０へ入力される入力コード値ｉ（ｘ，ｙ，ｃ）内に存在する、淡色および暗色のシアン・インクの組合せを説明するものであり、
与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があることを考えると、入力コード値のこの組は、マゼンタと黄色のインク量が多く、シアン、淡色のシアン、淡色のマゼンタのインク量が中程度であり、そして、黒インクは存在しないことを示しており、例示のために、インクジェット式プリンタにより生成されるインクの体積が、入力コード値ｉ（ｘ，ｙ，ｃ）に対して線形であると仮定しても、一般性は失われないことから、
このピクセル位置でページに置かれるインク体積に等しい入力顔料総量は、各色チャンネルのコード値を合計することにより推定可能となるものであって、
顔料総量限界は、人工物のない画像を生成する最も高い値にセットされ、
考慮中のピクセルに対応する淡色のシアンおよび暗色のシアンの顔料量（それぞれ、コード値｛１４０、１０２｝）は、シアン・トーンスケール・パス６０上に沿ってある点「Ａ」を定義し、点「Ａ」によって定義されるように、淡色および暗色のシアン量は、所与のピクセルのために、１４０＋１０２＝２４２コード値、すなわち９．４９ｐｌの総体積を占めるものであるが、等濃度線とインク等体積線を調べると、点「Ａ」と同じ等濃度線の上のどんな点でも、ページ上では、点「Ａ」と同じ濃度、つまり、人間の目には実質的に同じ色に見える濃度となり、しかし、これらの点の多くすなわち、同じ等濃度線の上の点「Ａ」の「左」のいかなる点でも、少ない体積のインクを使用することを達成されることが分かることから、
例えば、概算で、淡色および暗色のシアンのコード値がそれぞれ｛７０、１２５｝となる点「Ｂ」では、点「Ａ」と同じ濃度となるには、７０＋１２５＝１９５総コード値、すなわち、１９５／２５５＊１０ｐｌ＝７．６５ｐｌのみでよいものであり、このように、淡色のシアンと暗色のシアンのコード値を、点「Ａ」の最初の値｛１４０、１０２｝から点「Ｂ」の修正コード値｛７０、１２５｝に修正することにより、実質的にピクセルの元の色を保ちながら、総インク体積で１．８４ｐｌの削減を達成することができ、これにより、ピクセルのための総インク体積を、３１．８４ｐｌから許容できる限界の３０ｐｌまで抑えることができることから、
入力顔料量、入力顔料総量、および顔料総量限界に対応する類似した顔料のための、修正顔料量を決定し、それによって、第１顔料量だけ低濃度の類似した顔料から取り除き、第１顔料量より少量の第２顔料量だけ、高濃度の類似した顔料に加えること、したがって、淡色のシアンのインクの若干を「取り除き」、さらに、色を保つために、それより少量の暗色のシアンのインクを「加える」ものであり、淡色のシアンのインクが濃度において暗色のシアンのインクより軽いため、取り除かれる淡色のシアンのインク量は、加えられる暗色のシアンのインク量より大きいものであり、
インク消耗プロセッサ２０内においては、淡色および暗色のシアンのコード値を修正する多くの異なる方法として、コンピュータ・メモリまたはインク消耗プロセッサ２０にアクセス可能なディスク・ファイルに、等濃度線およびインク等体積線のためのデータを格納することを含み、その後、等高線情報を検索し、入力コード値によって定義される点を含む、所望のインク等体積線と等濃度線の交差点を計算することにより、修正コード値を算出するか、本質的に等濃度線を、平均傾斜を持つ一組の直線として推定する方法として、シアン・トーンスケール・パス６０の近傍の等濃度線の平均傾斜を単に計算し、淡色のシアンと暗色のシアンのインク濃度の比率の推定として、その平均傾斜を用い、シアン・トーンスケール・パス６０の近傍の等濃度線の平均傾斜が−１／４と算出されたなら、これは、取り除かれる淡色のシアンの４コード値ごとに、暗色のシアンを１コード値だけ加えられなければならないことを意味するから、修正コード値は、その後、所望のインク等体積線と、入力コード値によって定義される点を横切る−１／４の傾斜の線との交点を見つけることによって計算され、非常に単純で迅速な方法とするものである、
画像印刷に用いる顔料量削減の方法。」（以下、「引用発明」という。）
 　　
第４．対比・判断
（１）本願発明１と引用発明との対比・判断
　本願発明１と引用発明とを対比する。
ア．引用発明の「高品質インクジェット式プリンタ」が本願発明１の「プリンタ」に、以下同様に「インク」が「インク」に、「黄色」が「イエロー（Ｊ）」に、「マゼンタ」が「マゼンタ（Ｍ）」に、「シアン」が「シアン（Ｃ）」に、「黒」が「ブラック（Ｋ）」に、「淡色」が「明色」に、「ページ」が「選択された被印刷体（５）」に、「ピクセル」が「ピクセル（Ｐｉ）」に、「画像印刷に用いる顔料量削減の方法」が「プリント方法」に、それぞれ相当している。
イ．引用発明の「高品質インクジェット式プリンタ」は、「使われるインクの典型的組合せが、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる高品質インクジェット式プリンタ」であるから、本願発明１の「カラー・インクジェット・プリンタ（１）」に相当する。
ウ．引用発明の「『黄色』、『マゼンタ』、『シアン』及び『黒』」が本願発明１の「基本色」に相当する。
エ．引用発明の「『淡いシアン』、『淡色シアン』、『淡いマゼンタ』及び『淡色マゼンタ』」が本願発明１の「明色とよばれる基本色」に相当する。
オ．引用発明における「高品質インクジェット式プリンタ」は、「イエロー（Ｊ）（黄色）」、「マゼンタ（Ｍ）（マゼンタ）」、「シアン（Ｃ）（シアン）」及び「ブラック（Ｋ）（黒色）」を含む少なくとも四つのインクを用いることから、本願発明１における「プリンタ」が、「イエロー（Ｊ）、マゼンタ（Ｍ）、シアン（Ｃ）およびブラック（Ｋ）から選ばれる基本色を含む少なくとも四つのインクカートリッジ」を含むことと、「イエロー（Ｊ）、マゼンタ（Ｍ）、シアン（Ｃ）およびブラック（Ｋ）から選ばれる基本色を含む少なくとも四つのインク」を含むことで一致するということができる。
カ．引用発明における「高品質インクジェット式プリンタ」は、「使われるインクの典型的組合せが、従来のシアン、マゼンタ、黄色、および黒（ＣＭＹＫ）のインクに加えて」、「小文字「ｃｍ」で示される、淡色シアンと淡色マゼンタのインクを加えたもの（すなわちＣＭＹＫｃｍ）となる高品質インクジェット式プリンタ」であるから、引用発明における「小文字「ｃｍ」で示される、淡色シアンと淡色マゼンタのインク」は、「補助」として用いられるインクであることは明らかである。
キ．上記カ．から、引用発明における「高品質インクジェット式プリンタ」は、「小文字「ｃｍ」で示される、淡色シアンと淡色マゼンタのインク」を用いることから、本願発明１の「プリンタ」が「明色とよばれる基本色のインクを含む少なくとも一つの補助カートリッジ」を含むことと、「明色とよばれる基本色のインク」を含むことで一致するということができる。
ク．引用発明における「高品質インクジェット式プリンタ」は、「使われるインクの典型的組合せが、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる高品質インクジェット式プリンタ」であるから、各インクについて何らかの「インク収容部」を有する「インク容器」を有していることは、技術常識である。
　すなわち、引用発明の「高品質インクジェット式プリンタ」における「インク容器」は、本願発明１の「イエロー（Ｊ）、マゼンタ（Ｍ）、シアン（Ｃ）およびブラック（Ｋ）から選ばれる基本色を含む少なくとも四つのインクカートリッジ」及び「明色とよばれる基本色のインクを含む少なくとも一つの補助カートリッジ」と、「『インク収容部』を有する『インク容器』」の点で一致する。
ク．引用発明における「高品質インクジェット式プリンタ」は、その「ラスター画像プロセッサ１０が、ホストコンピュータ、ネットワーク、コンピュータ・メモリまたは他のデジタル画像記憶装置などのデジタル画像データ源１２から入力画像の形でデジタル画像データを受け」、「最後に、インクジェット式プリンタ３６は、マルチトーン化画像信号ｈ（ｘ，ｙ，ｃ）を受取り、所望の画像を作成するために、したがって、ページ上にインクを堆積させる」ものであるから、引用発明において「入力画像の形で」「デジタル画像データ」を「受け」ることは、本願発明１の「プリント命令」を「受信」することと一致する。
ケ．引用発明の「ラスタ画像プロセッサ１０」は、「デジタル画像データを受け」、「画像化アルゴリズムを用いて」「入力コード値ｉ（ｘ，ｙ，ｃ）を有する被処理デジタル画像信号を生成」するものであって、「ｘ，ｙはピクセル位置の位置座標、そしてｃは色チャンネル座標を示していて」、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）がある」ものであるから、引用発明の「プリント命令（デジタル画像データ）」と本願発明１の「プリント命令」とは、「選択された被印刷体（ページ）のピクセル（Ｐｉ）と呼ばれる所定の位置に互いに重ねるインク滴の数と色（ＥＤ）に関する情報を含む」点で一致する。
コ．引用発明の「インク消耗プロセッサ２０」は、「画像人工物の発生を防止するために、顔料量をピクセルごとに、もしくは単位面積ごとに顔料総量限界調整装置２２によって提供される顔料総量限界Ｖｔの下に削減する機能を実行」するものであるから、かかる「機能を実行」することを「最適化モード」ということができ、したがって引用発明の「高品質インクジェットプリンタ」と、本願発明１の「プリンタ」とは、「最適化モードを有して」いる点で一致するということができる。
サ．引用発明は、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があることを考え」、「考慮中のピクセルに対応する淡色のシアンおよび暗色のシアンの顔料量（それぞれ、コード値｛１４０、１０２｝）は、シアン・トーンスケール・パス６０上に沿ってある点「Ａ」を定義し、点「Ａ」によって定義されるように、淡色および暗色のシアン量は、所与のピクセルのために、１４０＋１０２＝２４２コード値、すなわち９．４９ｐｌの総体積を占めるものであるが、等濃度線とインク等体積線を調べると、点「Ａ」と同じ等濃度線の上のどんな点でも、ページ上では、点「Ａ」と同じ濃度、つまり、人間の目には実質的に同じ色に見える濃度となり」、「しかし、これらの点の多くすなわち、同じ等濃度線の上の点「Ａ」の「左」のいかなる点でも、少ない体積のインクを使用することを達成されることが分かることから」、「概算で、淡色および暗色のシアンのコード値がそれぞれ｛７０、１２５｝となる点「Ｂ」では、点「Ａ」と同じ濃度となるには、７０＋１２５＝１９５総コード値、すなわち、１９５／２５５＊１０ｐｌ＝７．６５ｐｌのみでよいものであり、このように、淡色のシアンと暗色のシアンのコード値を、点「Ａ」の最初の値｛１４０、１０２｝から点「Ｂ」の修正コード値｛７０、１２５｝に修正することにより、実質的にピクセルの元の色を保ちながら、総インク体積で１．８４ｐｌの削減を達成することができ、これにより、ピクセルのための総インク体積を、３１．８４ｐｌから許容できる限界の３０ｐｌまで抑えることができる」ものであるから、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があること」について、「実質的にピクセルの元の色を保ちながら」、「人間の目には実質的に同じ色に見える濃度」となるように、「淡色のシアンと暗色のシアンのコード値を、点「Ａ」の最初の値｛１４０、１０２｝から点「Ｂ」の修正コード値｛７０、１２５｝に修正することにより」、「淡色および暗色のシアン量は、所与のピクセルのために、１４０＋１０２＝２４２コード値、すなわち９．４９ｐｌの総体積を占めるもの」から、「点「Ａ」と同じ濃度となる」、「７０＋１２５＝１９５総コード値、すなわち、１９５／２５５＊１０ｐｌ＝７．６５ｐｌのみ」としたものであるということができる。
　してみると、引用発明の「高品質インクジェットプリンタ」は、「対象となるピクセル（Ｐｉ）で選択された色を得るために必要とされる、重ねる滴の数と色（ＥＤ）は、肉眼の認識にしたがい、満足できる色の表現色を得ることを可能にする、重ねる滴の数と色（ＥＥ）に対応するものであり、そして、受信されたそれぞれのプリント命令に対してこのように決定された、重ねる滴の数と色（ＥＥ）がプリンタ（１）に適用される」点で本願発明１の「プリンタ」と一致する。
　　
　上記ア．〜サ．から、本願発明１と、引用発明は、以下の点で一致している。 
「カラー・インクジェット・プリンタのプリント方法であり、該プリンタは、それぞれがイエロー（Ｊ）、マゼンタ（Ｍ）、シアン（Ｃ）およびブラック（Ｋ）から選ばれる基本色を含む少なくとも四つのインクのインク収容部を有するインク容器と、明色とよばれる基本色のインクを含む少なくとも一つの補助インクのインク収容部を有するインク容器とを含むタイプのものであり、これにおいて、選択された被印刷体（５）のピクセル（Ｐｉ）と呼ばれる所定の位置に互いに重ねるインク滴の数と色（ＥＤ）に関する情報を含むプリント命令（４）が受信されるものであって、該プリンタは、最適化モードを有しており、対象となるピクセル（Ｐｉ）で選択された色を得るために必要とされる、重ねる滴の数と色（ＥＤ）は、肉眼の認識にしたがい、満足できる色の表現色を得ることを可能にする、重ねる滴の数と色（ＥＥ）に対応するものであり、そして、受信されたそれぞれのプリント命令に対してこのように決定された、重ねる滴の数と色（ＥＥ）がプリンタ（１）に適用されるプリント方法。」 
　　
　そして、以下の点で相違している。 
（相違点１）
　「インク収容部を有するインク容器」について、本願発明１では「それぞれがイエロー（Ｊ）、マゼンタ（Ｍ）、シアン（Ｃ）およびブラック（Ｋ）から選ばれる基本色を含む少なくとも四つのインクカートリッジと、明色とよばれる基本色のインクを含む少なくとも一つの補助カートリッジ」であるのに対し、引用発明では、「インク収容部を有するインク容器」がいかなるものであるのか定かでない点。
（相違点２）
　「受信されたそれぞれのプリント命令に対してこのように決定された、重ねる滴の数と色（ＥＥ）がプリンタ（１）に適用される」ことに関して、本願発明１は「事前に確立された対応にしたがって」いるのに対し、引用発明は「事前に確立された対応にしたがって」いるか否かがはっきりしない点。
　　
　上記相違点について検討する。 
（相違点１について） 
　「インク収容部を有するインク容器」について、異なる色のインクを同一のインク容器の同一のインク収容部内に入れてしまうと混色してしまうことから、色毎に別のインク収容部を準備する必要があることは自明の事項である。
　ここで、「インク容器」として「インクカートリッジ」を用いることは、本願の優先日前に技術常識にすぎない。
　また、複数色のインクを用いる場合に、各色についてインク収容部を有するインク容器をそれぞれ独立に複数色分の数だけ設けるか、あるいは、複数色分のインク収容部をそれぞれ独立に設けた上で、そのインク収容部を一体化して１つのインク容器とするかについても、当業者が適宜設計して採用し得る程度のことである。
　そして、引用発明も、本願発明１も、ともに、「それぞれがイエロー（Ｊ）、マゼンタ（Ｍ）、シアン（Ｃ）およびブラック（Ｋ）から選ばれる基本色を含む少なくとも四つのインク」及び「明色とよばれる基本色のインク」を用いていることは、上記「（１）オ．」ないし「（１）キ．」に述べたとおりであるから、引用発明における「インク収容部を有するインク容器」を、本願発明１のような「インクカートリッジ」となすことは、当業者が適宜なし得る程度のことにすぎない。
　　
（相違点２について）
　引用発明においては、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があること」について、「実質的にピクセルの元の色を保ちながら」、「人間の目には実質的に同じ色に見える濃度」となるように、「、淡色のシアンと暗色のシアンのコード値を、点「Ａ」の最初の値｛１４０、１０２｝から点「Ｂ」の修正コード値｛７０、１２５｝に修正することにより」、「淡色および暗色のシアン量は、所与のピクセルのために、１４０＋１０２＝２４２コード値、すなわち９．４９ｐｌの総体積を占めるもの」から、「点「Ａ」と同じ濃度となる」、「７０＋１２５＝１９５総コード値、すなわち、１９５／２５５＊１０ｐｌ＝７．６５ｐｌのみ」としたものである。
　ここで、引用発明は、「実質的にピクセルの元の色を保ちながら」、「人間の目には実質的に同じ色に見える濃度」となるように、「インク消耗プロセッサ２０内においては、淡色および暗色のシアンのコード値を修正する多くの異なる方法として、コンピュータ・メモリまたはインク消耗プロセッサ２０にアクセス可能なディスク・ファイルに、等濃度線およびインク等体積線のためのデータを格納することを含み、その後、等高線情報を検索し、入力コード値によって定義される点を含む、所望のインク等体積線と等濃度線の交差点を計算することにより、修正コード値を算出する」か、「本質的に等濃度線を、平均傾斜を持つ一組の直線として推定する方法として、シアン・トーンスケール・パス６０の近傍の等濃度線の平均傾斜を単に計算し、淡色のシアンと暗色のシアンのインク濃度の比率の推定として、その平均傾斜を用い、シアン・トーンスケール・パス６０の近傍の等濃度線の平均傾斜が−１／４と算出されたなら、これは、取り除かれる淡色のシアンの４コード値ごとに、暗色のシアンを１コード値だけ加えられなければならないことを意味するから、修正コード値は、その後、所望のインク等体積線と、入力コード値によって定義される点を横切る−１／４の傾斜の線との交点を見つけることによって計算され、非常に単純で迅速な方法とする」ことを行っているから、事前に決定されている「所望のインク等体積線と等濃度線」あるいは「シアン・トーンスケール・パス６０の近傍の等濃度線の平均傾斜」に従い、「受信されたそれぞれのプリント命令に対してこのように決定された、重ねる滴の数と色（ＥＥ）がプリンタ（１）に適用される」ものであって、これはすなわち、「事前に確立された対応（『所望のインク等体積線と等濃度線』あるいは『シアン・トーンスケール・パス６０の近傍の等濃度線の平均傾斜』）にしたがって」「受信されたそれぞれのプリント命令に対してこのように決定された、重ねる滴の数と色（ＥＥ）がプリンタ（１）に適用される」点で、本願発明１と一致するものである。
　また、本願発明１にいう「事前に確立された対応」が、本願明細書に例示された「対応原理または対応表ＴＡＢ」であるとしても、「『所望のインク等体積線と等濃度線』あるいは『シアン・トーンスケール・パス６０の近傍の等濃度線の平均傾斜』」は「対応原理」の一種であるということができ、また、数値の算出にあたり、事前に与えられた数式（所望のインク等体積線と等濃度線あるいはシアン・トーンスケール・パス６０の近傍の等濃度線の平均傾斜）に基づき計算を行って決定するか、あるいは、対応表を用いて決定するかは、当業者が適宜選択して採用し得る程度の事項にすぎない。
　　
　なお、請求人は平成２２年１２月８日付け意見書において
「一方、刊行物１には、本願請求項１が明示するような「事前に確立された対応」について、全く記載も示唆もなされておりません。
　刊行物１においては、以下でご説明するように、低濃度の顔料の高濃度の顔料への置き換えについて、「対応を事前に決定」するものではなく、「動的に計算」するものです。
　刊行物１には、顔料の過剰な使用に関連する、人工物のない、高品質デジタル画像を印刷する方法を提供すること、画像印刷に用いる顔料量削減の方法を提供すること、知覚色が実質的に変化しないようにするための暗色および淡色の濃度顔料が使われるマルチ顔料プリンタで、画像印刷に用いられる顔料量削減方法を提供すること、等を目的として（刊行物１の第３列、３３〜４５行目等）、実質上同一色および異なる濃度を有する少なくとも２つの顔料について、顔料総量限界を超えた場合に顔料量を削減すべく、第１顔料量だけ低濃度の類似した顔料を取り除き、第１顔料量より少量の第２顔料量だけ、高濃度の類似した顔料を加えるように修正された「修正顔料量」を決定するものです。つまり、低濃度の顔料を高濃度の顔料に置き換えることで、顔料の総量を減らして顔料総量限界を超えないようにするものです。」（第２頁１〜１４行）
と主張しているが、引用発明において、動的に計算するための数式が「事前に確立された対応」として設定されていることは上述のとおりであるから、請求人の主張を採用することはできない。
　　
　そして、本願発明１の効果も引用発明から当業者が予測し得る範囲のものであって格別なものということができない。 
　すなわち、本願発明１は、当審の拒絶の理由に記載された引用例記載の発明に基づき、当業者が容易に発明をすることができたものと認める。
　　
（２）本願発明５と引用発明との対比・判断
　本願発明５と引用発明とを対比する。
ア．引用発明の「高品質インクジェット式プリンタ」が本願発明５の「プリンタ」に、以下同様に「インク」が「インク」に、「黄色」が「イエロー（Ｊ）」に、「マゼンタ」が「マゼンタ（Ｍ）」に、「シアン」が「シアン（Ｃ）」に、「黒」が「ブラック（Ｋ）」に、「淡色」が「明色」に、「ページ」が「選択された被印刷体（５）」に、「ピクセル」が「ピクセル（Ｐｉ）」に、「画像印刷に用いる顔料量削減の方法」が「プリント方法」に、「『ラスタ画像プロセッサ１０』、『インク消耗プロセッサ２０』及び『マルチトーン・プロセッサ３０』」が「処理手段（３，７）」に、それぞれ相当している。
イ．引用発明の「高品質インクジェット式プリンタ」は、「使われるインクの典型的組合せが、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる高品質インクジェット式プリンタ」であるから、本願発明５の「カラー・インクジェット・プリンタ」に相当する。
ウ．引用発明の「『黄色』、『マゼンタ』、『シアン』及び『黒』」が本願発明５の「基本色」に相当する。
エ．引用発明の「『淡いシアン』、『淡色シアン』、『淡いマゼンタ』及び『淡色マゼンタ』」が本願発明５の「明色と呼ばれる基本色」に相当する。
オ．引用発明における「高品質インクジェット式プリンタ」は、「イエロー（Ｊ）（黄色）」、「マゼンタ（Ｍ）（マゼンタ）」、「シアン（Ｃ）（シアン）」及び「ブラック（Ｋ）（黒色）」を含む少なくとも四つのインクを用いることから、本願発明５の「プリンタ」が、「イエロー（Ｊ）、マゼンタ（Ｍ）、シアン（Ｃ）およびブラック（Ｋ）から選ばれる基本色を含む少なくとも四つのインクカートリッジ」を含むことと、「イエロー（Ｊ）、マゼンタ（Ｍ）、シアン（Ｃ）およびブラック（Ｋ）から選ばれる基本色を含む少なくとも四つのインク」を含むことで一致するということができる。
カ．引用発明における「高品質インクジェット式プリンタ」は、「使われるインクの典型的組合せが、従来のシアン、マゼンタ、黄色、および黒（ＣＭＹＫ）のインクに加えて」、「小文字「ｃｍ」で示される、淡色シアンと淡色マゼンタのインクを加えたもの（すなわちＣＭＹＫｃｍ）となる高品質インクジェット式プリンタ」であるから、引用発明における「小文字「ｃｍ」で示される、淡色シアンと淡色マゼンタのインク」は、「補助」として用いられるインクであることは明らかである。
キ．上記カ．から、引用発明における「高品質インクジェット式プリンタ」は、「小文字「ｃｍ」で示される、淡色シアンと淡色マゼンタのインク」を用いることから、本願発明５の「プリンタ」が「明色と呼ばれる基本色のインクを含む少なくとも一つの補助カートリッジ」を含むことと、「明色と呼ばれる基本色のインク」を含むことで一致するということができる。
ク．引用発明における「高品質インクジェット式プリンタ」は、「使われるインクの典型的組合せが、従来のシアン、マゼンタ、黄色、および黒（ＣＭＹＫ）のインクに加えて、小文字「ｃｍ」で示される、淡色シアンと淡色マゼンタのインクを加えたもの（すなわちＣＭＹＫｃｍ）となる高品質インクジェット式プリンタ」であるから、各インクについて何らかの「インク収容部」を有する「インク容器」を有していることは、技術常識である。
　すなわち、引用発明の「高品質インクジェット式プリンタ」における「インク容器」は、本願発明５の「イエロー（Ｊ）、マゼンタ（Ｍ）、シアン（Ｃ）およびブラック（Ｋ）から選ばれる基本色を含む少なくとも四つのインクカートリッジ」及び「明色と呼ばれる基本色のインクを含む少なくとも一つの補助カートリッジ」と、「『インク収容部』を有する『インク容器』」の点で一致する。
ク．引用発明における「高品質インクジェット式プリンタ」は、その「ラスター画像プロセッサ１０が、ホストコンピュータ、ネットワーク、コンピュータ・メモリまたは他のデジタル画像記憶装置などのデジタル画像データ源１２から入力画像の形でデジタル画像データを受け」、「最後に、インクジェット式プリンタ３６は、マルチトーン化画像信号ｈ（ｘ，ｙ，ｃ）を受取り、所望の画像を作成するために、したがって、ページ上にインクを堆積させる」ものであるから、引用発明において「入力画像の形で」「デジタル画像データ」を「受け」ることは、本願発明５の「プリント命令」を「受信」することと一致する。
ケ．引用発明の「ラスタ画像プロセッサ１０」は、「デジタル画像データを受け」、「画像化アルゴリズムを用いて」「入力コード値ｉ（ｘ，ｙ，ｃ）を有する被処理デジタル画像信号を生成」するものであって、「ｘ，ｙはピクセル位置の位置座標、そしてｃは色チャンネル座標を示していて」、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）がある」ものであるから、引用発明の「プリント命令（デジタル画像データ）」と本願発明５の「プリント命令」とは、「選択された被印刷体（ページ）のピクセル（Ｐｉ）と呼ばれる所定の位置に互いに重ねるインク滴の数と色（ＥＤ）に関する情報を含む」点で一致する。
コ．引用発明の「インク消耗プロセッサ２０」は、「画像人工物の発生を防止するために、顔料量をピクセルごとに、もしくは単位面積ごとに顔料総量限界調整装置２２によって提供される顔料総量限界Ｖｔの下に削減する機能を実行」するものであるから、かかる「機能を実行」することを「最適化モード」ということができ、したがって引用発明の「高品質インクジェットプリンタ」と、本願発明５の「プリンタ」とは、「最適化モードを有して」いる点で一致するということができる。
サ．引用発明は、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があることを考え」、「考慮中のピクセルに対応する淡色のシアンおよび暗色のシアンの顔料量（それぞれ、コード値｛１４０、１０２｝）は、シアン・トーンスケール・パス６０上に沿ってある点「Ａ」を定義し、点「Ａ」によって定義されるように、淡色および暗色のシアン量は、所与のピクセルのために、１４０＋１０２＝２４２コード値、すなわち９．４９ｐｌの総体積を占めるものであるが、等濃度線とインク等体積線を調べると、点「Ａ」と同じ等濃度線の上のどんな点でも、ページ上では、点「Ａ」と同じ濃度、つまり、人間の目には実質的に同じ色に見える濃度となり」、「しかし、これらの点の多くすなわち、同じ等濃度線の上の点「Ａ」の「左」のいかなる点でも、少ない体積のインクを使用することを達成されることが分かることから」、「概算で、淡色および暗色のシアンのコード値がそれぞれ｛７０、１２５｝となる点「Ｂ」では、点「Ａ」と同じ濃度となるには、７０＋１２５＝１９５総コード値、すなわち、１９５／２５５＊１０ｐｌ＝７．６５ｐｌのみでよいものであり、このように、淡色のシアンと暗色のシアンのコード値を、点「Ａ」の最初の値｛１４０、１０２｝から点「Ｂ」の修正コード値｛７０、１２５｝に修正することにより、実質的にピクセルの元の色を保ちながら、総インク体積で１．８４ｐｌの削減を達成することができ、これにより、ピクセルのための総インク体積を、３１．８４ｐｌから許容できる限界の３０ｐｌまで抑えることができる」ものであるから、「与えられたピクセルのために、Ｃ、Ｍ、Ｙ、Ｋ、ｃ、ｍそれぞれのための、８ピットの整数値｛１０２、２５５、２１５、０、１４０、１００｝を持つ、一組の入力コード値ｉ（ｘ，ｙ，ｃ）があること」について、「実質的にピクセルの元の色を保ちながら」、「人間の目には実質的に同じ色に見える濃度」となるように、「淡色のシアンと暗色のシアンのコード値を、点「Ａ」の最初の値｛１４０、１０２｝から点「Ｂ」の修正コード値｛７０、１２５｝に修正することにより」、「淡色および暗色のシアン量は、所与のピクセルのために、１４０＋１０２＝２４２コード値、すなわち９．４９ｐｌの総体積を占めるもの」から、「点「Ａ」と同じ濃度となる」、「７０＋１２５＝１９５総コード値、すなわち、１９５／２５５＊１０ｐｌ＝７．６５ｐｌのみ」としたものであるということができる。
　してみると、引用発明の「高品質インクジェットプリンタ」は、「対象となるピクセル（Ｐｉ）で選択された色を得るために必要とされる、重ねる滴の数と色（ＥＤ）を、肉眼の認識にしたがい、満足できる色の表現色を得ることを可能にする、重ねる滴の数と色（ＥＥ）に対応させること、そして、受信されたそれぞれのプリント命令に対してこうして決定された、重ねる滴の数と色（ＥＥ）をプリンタ（１）に適用すること」の点で本願発明５の「プリンタ」と一致する。
シ．引用発明は「インク消耗プロセッサ２０内においては、淡色および暗色のシアンのコード値を修正する多くの異なる方法として、コンピュータ・メモリまたはインク消耗プロセッサ２０にアクセス可能なディスク・ファイルに、等濃度線およびインク等体積線のためのデータを格納することを含み、その後、等高線情報を検索し、入力コード値によって定義される点を含む、所望のインク等体積線と等濃度線の交差点を計算することにより、修正コード値を算出するか、本質的に等濃度線を、平均傾斜を持つ一組の直線として推定する方法として、シアン・トーンスケール・パス６０の近傍の等濃度線の平均傾斜を単に計算し、淡色のシアンと暗色のシアンのインク濃度の比率の推定として、その平均傾斜を用い、シアン・トーンスケール・パス６０の近傍の等濃度線の平均傾斜が−１／４と算出されたなら、これは、取り除かれる淡色のシアンの４コード値ごとに、暗色のシアンを１コード値だけ加えられなければならないことを意味するから、修正コード値は、その後、所望のインク等体積線と、入力コード値によって定義される点を横切る−１／４の傾斜の線との交点を見つけることによって計算され、非常に単純で迅速な方法とするもの」であるから、「所望のインク等体積線と等濃度線」あるいは「シアン・トーンスケール・パス６０の近傍の等濃度線の平均傾斜」は「対応原理」ということができる。
　すなわち、引用発明の「高品質インクジェットプリンタ」と本願発明５の「プリンタ」とは、「対応が、対応原理（『所望のインク等体積線と等濃度線』あるいは『シアン・トーンスケール・パス６０の近傍の等濃度線の平均傾斜』）にしたがって確立される」点で一致する。
　　
　上記ア．〜シ．から、本願発明５と、引用発明の「画像印刷に用いる顔料量削減の方法」における「プリンタ（高品質インクジェット式プリンタ）」は、以下の点で一致している。 
「それぞれがイエロー（Ｊ）、マゼンタ（Ｍ）、シアン（Ｃ）およびブラック（Ｋ）から選ばれる基本色を含む少なくとも四つのインクのインク収容部を有するインク容器と、明色と呼ばれる基本色のインクを含む少なくとも一つの補助インクのインク収容部を有するインク容器と、処理手段（３、７）とを有するタイプのカラー・インクジェット・プリンタであり、該処理手段は、プリント命令（４）を受信することに適しており、該プリント命令は、選択された被印刷体（５）のピクセル（Ｐｉ）と呼ばれる所定の位置に互いに重ねるインク滴の数と色（ＥＤ）に関する情報を含むものであり、処理手段（３、７）が最適化モードを有し、これにおいて該処理手段が、対象となるピクセル（Ｐｉ）で選択された色を得るために必要とされる、重ねる滴の数と色（ＥＤ）を、肉眼の認識にしたがい、満足できる色の表現色を得ることを可能にする、重ねる滴の数と色（ＥＥ）に対応させること、そして、受信されたそれぞれのプリント命令に対してこうして決定された、重ねる滴の数と色（ＥＥ）をプリンタ（１）に適用することに適しており、
対応が、対応原理にしたがって確立される、
プリンタ。」 
　　
　そして、以下の点で相違している。 
（相違点１’）
　「インク収容部を有するインク容器」について、本願発明５では「それぞれがイエロー（Ｊ）、マゼンタ（Ｍ）、シアン（Ｃ）およびブラック（Ｋ）から選ばれる基本色を含む少なくとも四つのインクカートリッジと、明色とよばれる基本色のインクを含む少なくとも一つの補助カートリッジ」であるのに対し、引用発明では、「インク収容部を有するインク容器」がいかなるものであるのか定かでない点。
（相違点２’）
　「対応原理」が、本願発明５においては「事前に確立された対応原理」であるのに対し、引用発明においては「事前に確立された」か否かがはっきりしない点。
　　
　上記相違点について検討する。 
（相違点１’について） 
　「インク収容部を有するインク容器」について、「それぞれがイエロー（Ｊ）、マゼンタ（Ｍ）、シアン（Ｃ）およびブラック（Ｋ）から選ばれる基本色を含む少なくとも四つのインク」及び「明色とよばれる基本色のインク」を用いている場合に「それぞれがイエロー（Ｊ）、マゼンタ（Ｍ）、シアン（Ｃ）およびブラック（Ｋ）から選ばれる基本色を含む少なくとも四つのインクカートリッジと、明色とよばれる基本色のインクを含む少なくとも一つの補助カートリッジ」となすことは、上記「第４（１）」の（相違点１）についての検討で述べたとおりであるから、引用発明における「インク収容部を有するインク容器」を、本願発明５のような「インクカートリッジ」となすことは、当業者が適宜なし得る程度のことにすぎない。
　　
（相違点２’について）
　上記「第４（２）」の（相違点２）についての検討で述べたのと同様に、引用発明の「対応原理（『所望のインク等体積線と等濃度線』あるいは『シアン・トーンスケール・パス６０の近傍の等濃度線の平均傾斜』）」は、事前に決定されているということができる。
　すなわち、引用発明の「対応原理（『所望のインク等体積線と等濃度線』あるいは『シアン・トーンスケール・パス６０の近傍の等濃度線の平均傾斜』）」と、本願発明５の「対応原理」は、いずれも「事前に確立された」点で一致するものである。
　なお、本願発明５にいう「対応」が、「対応表ＴＡＢ」にしたがったものであるとしても、数値の算出にあたり、事前に与えられた数式（所望のインク等体積線と等濃度線あるいはシアン・トーンスケール・パス６０の近傍の等濃度線の平均傾斜）に基づき計算を行って決定するか、あるいは、対応表を用いて決定するかは、当業者が適宜選択して採用し得る程度の事項にすぎない。
　　
　そして、本願発明５の効果も引用発明から当業者が予測し得る範囲のものであって格別なものということができない。 
　すなわち、本願発明５は、当審の拒絶の理由に記載された引用例記載の発明に基づき、当業者が容易に発明をすることができたものと認める。
　　
第５．むすび
　以上のとおり、本願発明１及び本願発明５は、いずれも、当審の拒絶の理由に記載された引用例記載の発明に基づき、当業者が容易に発明をすることができたものであるから、特許法第２９条第２項の規定により特許を受けることができない。
　よって、結論のとおり審決する。